(57)【要約】【課題】ネットワークテレビジョン受像機において、同一のメニュー画像内に、異なる種類のネットワークサービスに対応したアイコンが含まれている場合でも、ユーザが、各アイコンに対応したネットワークサービスのサービス種別を容易に判別することができるようにし、使い勝手をよくする。【解決手段】各種のアイコン７２，８２，９２に対応したネットワークサービスのサービス種別を表す各種のグループコードと、これらのグループコードに対応したアイコン形状コード及びアイコン背景色コードを記憶しておいて、上記グループコードと、上記アイコン形状コード及びアイコン背景色コードのうち少なくともいずれかとに基づいて、メニュー画像７０に含まれる各種のアイコン７２，８２，９２の形状及び背景色のうち少なくともいずれかを、グループ毎（ネットワークサービスのサービス種別毎）に、分けて表示するようにした。【選択図】図６
2012049728.tif 000002
【特許請求の範囲】
【請求項１】
各種のネットワークサービスを提供するサービス提供サーバとネットワークを介して接続され、
前記サービス提供サーバから送信されたネットワークサービス提供用の各種データを受信すると共に、前記サービス提供サーバとの間で各種のコマンド及びレスポンスの送受信を行うための送受信手段と、
前記各種のネットワークサービスに対応した各種のアイコンを含むメニュー画像と、このメニュー画像に含まれるいずれかのアイコンをユーザが選択したときに、選択したアイコンに対応したネットワークサービスを提供するために前記サービス提供サーバから送信される画像とを表示するための表示手段とを備えたネットワークテレビジョン受像機において、
前記各種のアイコンに対応したネットワークサービスのサービス種別を表す各種のグループコードと、これらのグループコードに対応した形状コード及びデザインコードのうち少なくともいずれかとを記憶するコード記憶手段と、
前記コード記憶手段に記憶された、各種のグループコードと、形状コード及びデザインコードのうち少なくともいずれかとに基づいて、前記表示手段に表示するメニュー画像に含まれる各種のアイコンの形状及びデザインのうち少なくともいずれかを、ネットワークサービスのサービス種別毎に、分けて表示するように制御するアイコン表示制御手段とを備えたことを特徴とするネットワークテレビジョン受像機。
【請求項２】
前記コード記憶手段に記憶されるデザインコードは、前記アイコンの背景色を表すアイコン背景色コードであり、
前記アイコン表示制御手段は、前記コード記憶手段に記憶された、各種のグループコードとアイコン背景色コードとに基づいて、前記表示手段に表示するメニュー画像に含まれる各種のアイコンの背景色を、ネットワークサービスのサービス種別毎に、分けて表示するように制御することを特徴とする請求項１に記載のネットワークテレビジョン受像機。
【請求項３】
前記コード記憶手段は、前記グループコードに対応したグループゾーン背景色コードをさらに記憶し、
前記アイコン表示制御手段は、前記コード記憶手段に記憶されたグループゾーン背景色コードに基づいて、前記表示手段に表示するメニュー画像における各グループゾーンの背景色を、ネットワークサービスのサービス種別毎に分けて表示するように制御することを特徴とする請求項１又は請求項２に記載のネットワークテレビジョン受像機。
【発明の詳細な説明】
【技術分野】
【０００１】
本発明は、ＶＯＤ（Ｖｉｄｅｏ  Ｏｎ  Ｄｅｍａｎｄ）等の各種のネットワークサービスを提供するサービス提供サーバとネットワークを介して接続され、各種のネットワークサービスに対応した各種のアイコンを含むメニュー画像を表示するネットワークテレビジョン受像機に関する。
【背景技術】
【０００２】
従来から、ＶＯＤ（のサービス）やニュース配信サービス等の各種のネットワークサービスを提供するサービス提供サーバとインターネット等のネットワークを介して接続されて、サービス提供サーバから各種のネットワークサービスの提供を受けることが可能なＩＰＴＶ（Ｉｎｔｅｒｎｅｔ  Ｐｒｏｔｏｃｏｌ  Ｔｅｌｅｖｉｓｉｏｎ）受像機等のネットワークテレビジョン受像機が知られている。この種のネットワークテレビジョン受像機は、各種のネットワークサービスに対応した各種のアイコンを含むメニュー画像（例えばビエラキャスト）を表示して、いずれかのアイコンをユーザが選択したときに、選択したアイコンに対応したネットワークサービスを提供するための画像や音声の送信をサービス提供サーバに要求し、サービス提供サーバから送信されるネットワークサービス提供用の画像や音声を再生する。
【０００３】
次に、図７を参照して、上記従来のメニュー画像について説明する。従来のメニュー画像１７０は、ＶＯＤ（のサービス）に対応したアイコン１７２や、ニュース配信サービスに対応したアイコン１９２といった、各種のネットワークサービスに対応したアイコンを表示する。これらのアイコンは、基本的にロゴのみで構成されている。
【０００４】
ところが、上記従来のメニュー画像１７０には、ロゴのみで構成された多くのアイコンが表示されるため、一般のユーザは、各アイコンを見ただけでは、各アイコンに対応したネットワークサービスのサービス種別を知ることが難しい。また、仮に、ユーザが、ネットワークサービスのロゴに詳しい場合であっても、各アイコンを見てから、そのアイコンに対応したネットワークサービスのサービス種別を思い出すのに時間がかかってしまい、使い勝手が悪い。特に、同一のメニュー画像１７０内に、異なる種類のネットワークサービスに対応したアイコンが含まれている場合には、ユーザが、各アイコンを見てから、そのアイコンに対応したネットワークサービスのサービス種別を思い出すのに要する時間が長くなってしまう。
【０００５】
ところで、ディジタル衛星放送のセットトップボックス等の情報提供装置の分野において、カテゴリー、ジャンル毎にアイコンをまとめて表示するものが知られている（引用文献１参照）。しかしながら、この引用文献１には、各アイコンをネットワークサービスのサービス種別毎に分けて（グループ化して）表示することは記載されていない。従って、引用文献１の発明では、上記従来のメニュー画像１７０の問題を解消することはできない。また、この引用文献１の発明を応用することにより、上記のメニュー画像１７０における各アイコンを、ネットワークサービスのサービス種別毎に分けて（グループ化して）表示することも考えられるが、この場合でも、同一のメニュー画像内に、異なる種類のネットワークサービスに対応したアイコンが含まれている場合には、ユーザが、各アイコンを見てから、そのアイコンに対応したネットワークサービスのサービス種別を思い出すのに要する時間が長くなってしまう。
【０００６】
また、この種の装置の分野において、複数種類のメニューを色分けして表示するようにしたものが知られている（引用文献２参照）。しかしながら、この引用文献２の発明でも、上記従来のメニュー画像１７０の問題を解消することはできない。
【先行技術文献】
【特許文献】
【０００７】
【特許文献１】国際公開第００／３３５７１号公報
【特許文献２】特開２００２−１４０１４４号公報
【発明の概要】
【発明が解決しようとする課題】
【０００８】
本発明は、上記課題を解決するものであり、同一のメニュー画像内に、異なる種類のネットワークサービスに対応したアイコンが含まれている場合でも、ユーザが、各アイコンに対応したネットワークサービスのサービス種別を容易に判別することが可能な、使い勝手のよいネットワークテレビジョン受像機を提供することを目的とする。
【課題を解決するための手段】
【０００９】
上記課題を解決するために、請求項1の発明は、各種のネットワークサービスを提供するサービス提供サーバとネットワークを介して接続され、前記サービス提供サーバから送信されたネットワークサービス提供用の各種データを受信すると共に、前記サービス提供サーバとの間で各種のコマンド及びレスポンスの送受信を行うための送受信手段と、前記各種のネットワークサービスに対応した各種のアイコンを含むメニュー画像と、このメニュー画像に含まれるいずれかのアイコンをユーザが選択したときに、選択したアイコンに対応したネットワークサービスを提供するために前記サービス提供サーバから送信される画像とを表示するための表示手段とを備えたネットワークテレビジョン受像機において、前記各種のアイコンに対応したネットワークサービスのサービス種別を表す各種のグループコードと、これらのグループコードに対応した形状コード及びデザインコードのうち少なくともいずれかとを記憶するコード記憶手段と、前記コード記憶手段に記憶された、各種のグループコードと、形状コード及びデザインコードのうち少なくともいずれかとに基づいて、前記表示手段に表示するメニュー画像に含まれる各種のアイコンの形状及びデザインのうち少なくともいずれかを、ネットワークサービスのサービス種別毎に、分けて表示するように制御するアイコン表示制御手段とを備えたものである。
【００１０】
請求項２の発明は、請求項１に記載のネットワークテレビジョン受像機において、前記コード記憶手段に記憶されるデザインコードは、前記アイコンの背景色を表すアイコン背景色コードであり、前記アイコン表示制御手段は、前記コード記憶手段に記憶された、各種のグループコードとアイコン背景色コードとに基づいて、前記表示手段に表示するメニュー画像に含まれる各種のアイコンの背景色を、ネットワークサービスのサービス種別毎に、分けて表示するように制御するものである。
【００１１】
請求項３の発明は、請求項１又は請求項２に記載のネットワークテレビジョン受像機において、前記コード記憶手段は、前記グループコードに対応したグループゾーン背景色コードをさらに記憶し、前記アイコン表示制御手段は、前記コード記憶手段に記憶されたグループゾーン背景色コードに基づいて、前記表示手段に表示するメニュー画像における各グループゾーンの背景色を、ネットワークサービスのサービス種別毎に分けて表示するように制御するものである。
【発明の効果】
【００１２】
請求項１の発明によれば、各種のアイコンに対応したネットワークサービスのサービス種別を表す各種のグループコードと、これらのグループコードに対応した形状コード及びデザインコードのうち少なくともいずれかとを記憶しておいて、上記グループコードと、上記形状コード及びデザインコードのうち少なくともいずれかとに基づいて、メニュー画像に含まれる各種のアイコンの形状及びデザインのうち少なくともいずれかを、ネットワークサービスのサービス種別毎に、分けて表示するようにした。これにより、同一のメニュー画像内に、異なる種類のネットワークサービスに対応したアイコンが含まれている場合でも、ユーザが、各アイコンの形状及びデザインのうち少なくともいずれかに基づいて、各アイコンに対応したネットワークサービスのサービス種別を、視覚的に容易に判別することができるので、使い勝手がよい。
【００１３】
また、請求項２の発明によれば、各種のグループコードとアイコン背景色コードとに基づいて、メニュー画像に含まれる各種のアイコンの背景色を、ネットワークサービスのサービス種別毎に、分けて表示するようにした。これにより、上記に記載の効果を的確に得ることができる。
【００１４】
また、請求項３の発明によれば、グループゾーン背景色コードに基づいて、メニュー画像における各グループゾーンの背景色を、ネットワークサービスのサービス種別毎に分けて表示するようにした。これにより、同一のメニュー画像内に、異なる種類のネットワークサービスに対応したアイコンが含まれている場合でも、ユーザが、各アイコンの形状及びデザインのうち少なくともいずれかに加えて、各グループゾーンの背景色に基づき、各アイコンに対応したネットワークサービスのサービス種別を判別することができるので、上記請求項１及び請求項２と比べて、ユーザが、各アイコンに対応したネットワークサービスのサービス種別を、より一層視覚的に容易に判別することができる。従って、より一層使い勝手がよくなる。
【図面の簡単な説明】
【００１５】
【図１】本発明の一実施形態に係るＩＰＴＶ受像機を含むネットワークサービス提供システムのブロック構成図。
【図２】図１中のネットワークカードの電気的ブロック構成図。
【図３】図１中のアイコンテーブルの概略のレコードフォーマットを示す図。
【図４】図１中のグループデザインテーブルの概略のレコードフォーマットを示す図。
【図５】同ＩＰＴＶ受像機の液晶パネルに表示されるメニュー画像の一例を示す図。
【図６】同ＩＰＴＶ受像機の液晶パネルに表示されるメニュー画像の他の例を示す図。
【図７】従来のＩＰＴＶ受像機の液晶パネルに表示されるメニュー画像の例を示す図。
【発明を実施するための形態】
【００１６】
以下、本発明の一実施形態について、図面を参照して説明する。本実施形態では、本発明のネットワークテレビジョン受像機がＩＰＴＶ（Ｉｎｔｅｒｎｅｔ  Ｐｒｏｔｏｃｏｌ  Ｔｅｌｅｖｉｓｉｏｎ）受像機である場合の例について説明する。図１は、本実施形態によるＩＰＴＶ受像機を含むネットワークサービス提供システムを示す。このネットワークサービス提供システム１は、主に、サービス管理サーバ２と、サービス提供サーバ３（図中の複数のサービス提供サーバ３ａ，３ｂ，３ｃ等の総称）と、ＩＰＴＶ受像機７とから構成されている。サービス管理サーバ２は、ＩＰＴＶ受像機７の製造メーカ等が運営する、ＩＰＴＶ受像機７からアクセス可能なネットワークサービスの管理用のサーバである。また、各サービス提供サーバ３は、ＶＯＤ（Ｖｉｄｅｏ  Ｏｎ  Ｄｅｍａｎｄ）（のサービス）やニュース配信サービス等の各種のネットワークサービスを提供する（サービスプロバイダ側に配された）サーバである。サービス管理サーバ２及び複数のサービス提供サーバ３とＩＰＴＶ受像機７とは、インターネット４（請求項におけるネットワーク）とルータ５とＬＡＮ（Local Area Network）６とを介して接続されている。
【００１７】
ＩＰＴＶ受像機７は、自機の主要な機能を実現するための各種回路を搭載した半導体チップであるＳｏＣ（Ｓｙｓｔｅｍ−ｏｎ−ａ−ｃｈｉｐ）１０と、自機の設定データ等の各種データや装置の制御用のプログラムを記憶するメモリ１３（請求項におけるコード記憶手段）と、前面に液晶パネル１４ａ（請求項における表示手段）を有する液晶モジュール１４と、ＬＶＤＳ（Ｌｏｗ  Ｖｏｌｔａｇｅ  Ｄｉｆｆｅｒｅｎｔｉａｌ  Ｓｉｇｎａｌｉｎｇ：低電圧差動信号処理方式）インタフェース１５（以下、ＬＶＤＳと略す）と、スピーカ１６と、リモートコントロール信号（以下、リモコン信号と略す）を受信するためのリモコン信号受信部１７とを備えている。また、ＩＰＴＶ受像機７は、ユーザからの指示操作に応じたリモコン信号を送信するリモートコントローラ（以下、リモコンと略す）２０を有している。
【００１８】
上記のＳｏＣ１０は、装置全体の制御を行うＣＰＵ１１（請求項におけるアイコン表示制御手段）、ネットワークカード１２（送受信手段）等の回路を搭載している。ネットワークカード１２は、サービス管理サーバ２から送信された各種の設定データやソフトウェア、及びサービス提供サーバ３から送信されたネットワークサービス提供用の各種データを受信すると共に、サービス管理サーバ２及びサービス提供サーバ３に対して各種のコマンド及びレスポンスの送受信を行うためのインタフェース用の回路である。なお、ネットワークカード１２の構成については後述する。また、ＩＰＴＶ受像機７は、必ずしもネットワークカード１２を有する必要はなく、ＬＡＮ６とＩＰＴＶ受像機７との間にネットワークカード１２と同様な機能を有するセットトップボックスを配して、サービス管理サーバ２及び複数のサービス提供サーバ３とＩＰＴＶ受像機７との間を、インターネット４とルータ５とＬＡＮ６と上記のセットトップボックスとを介して接続してもよい。
【００１９】
上記のメモリ１３は、各種のメニュー画像のレイアウトや色についての設定データを格納したメニューテーブル３１と、上記のメニュー画像に表示される各種のアイコンについての設定データを格納したアイコンテーブル３２と、アイコンテーブル３２に含まれる各種アイコンのグループ毎の設定データ（形状コード、デザインコード等）を格納したグループデザインテーブル３３とを記憶している。これらのテーブル３１乃至３３に格納された各設定データは、サービス管理サーバ２から送信された新しいバージョンの設定データに更新され得る。
【００２０】
上記のＬＶＤＳ１５は、ＳｏＣ１０から液晶モジュール１４への（コンテンツの）映像信号伝送用のディジタルインタフェース回路（ディジタル信号処理回路）である。
【００２１】
上記の液晶モジュール１４は、主に、液晶パネルと、駆動用プリント基板と、バックライトから構成されており、ＳｏＣ１０からＬＶＤＳ１５を介して受信した映像信号に基づく映像を液晶パネル１４ａに表示する。
【００２２】
上記リモコン２０は、サービス提供サーバ３から提供される各種のネットワークサービスに対応した各種のアイコンを含む（ネットワーク用の）メニュー画像を表示するようにユーザが指示するためのネットボタン２１を有している。
【００２３】
次に、図２を参照して、上記ネットワークカード１２の詳細な構成について説明する。ネットワークカード１２は、マイクロプロセッサ４０と、信号受信部４１と、ＭＰＥＧ−ＴＳ処理部４２と、セキュリティ処理部４３と、メディア復号部４４と、双方向通信部４５と、グラフィックスプロセッサ４７と、レンダリング部４８と、信号処理部４９と、初期設定認証管理部５０とを備えている。また、マイクロプロセッサ４０は、ミドルウェアであるアプリケーション・プラットフォーム４６を格納している。
【００２４】
インターネット上の各サービス提供サーバ３から送信されたネットワークサービス提供用の映像信号及び音声信号（ＩＰＴＶ信号）は、信号受信部４１により受信されて、ＭＰＥＧ−ＴＳ処理部４２によりパケットの分離処理がなされ、セキュリティ処理部４３により暗号化データから復号（通常のコンテンツのデータに復元）された後、メディア復号部４４により映像・音声信号に復号される。一方、双方向通信部４５で受信された（画像の）マルチメディアデータは、アプリケーション・プラットフォーム４６を用いてマイクロプロセッサ４０により演算処理された後、グラフィックスプロセッサ４７により画像イメージに構成される。メディア復号部４４により復号された映像信号と、グラフィックスプロセッサ４７から送られた画像イメージは、レンダリング部４８で合成されて、信号出力処理部４９を介してＬＶＤＳ１５に出力される。また、メディア復号部４４により復号された音声信号は、レンダリング部４８と信号出力処理部４９とを介してスピーカ１６に出力される。
【００２５】
上記のマルチメディアデータには、双方向通信部４５で受信された各種の画像イメージの表示用のデータに加えて、メモリ１３から送られた（アイコンを含む）メニュー画像の表示用のデータが含まれる。従って、メモリ１３から送られた（アイコンを含む）メニュー画像の表示用のデータも、アプリケーション・プラットフォーム４６を用いてマイクロプロセッサ４０により演算処理された後、グラフィックスプロセッサ４７により画像イメージに構成される。
【００２６】
次に、図３を参照して、上記のアイコンテーブル３２に格納されている各種のアイコンについての設定データについて説明する。アイコンテーブル３２には、（ネットワーク用の）メニュー画像に各種のアイコンを表示するための設定データとして、各アイコンについての、アイコンＮｏ．５１、メニューＮｏ．５２、サービスグループコード５３、グループ内並び順５４、ロゴ画像データ５５等のデータが格納されている。メニューＮｏ．５２は、アイコンＮｏ．５１に対応するアイコン（以下、「該当のアイコン」という）が表示されるメニューの識別用の番号である。サービスグループコード５３は、該当のアイコンに対応したネットワークサービスのサービス種別（グループ）を表すコードである。グループ内並び順５４は、サービスグループコード５３に対応するグループ内における該当のアイコンの並び順（表示順）を示すデータである。ロゴ画像データ５５は、該当のアイコンに対応したネットワークサービスを表すロゴ画像のデータである。
【００２７】
次に、図４を参照して、上記のグループデザインテーブル３３に格納されている、グループ毎の設定データについて説明する。グループデザインテーブル３３には、上記のアイコンテーブル３２のサービスグループコード５３に対応した（ネットワークサービスのグループを表すコードである）サービスグループコード６１、グループゾーン背景色コード６２、アイコン形状コード６３、アイコン背景色コード６４（請求項におけるデザインコード）等のデータが格納されている。アイコン形状コード６３は、サービスグループコード６１に対応するグループ（以下、「該当のグループ」という）に属するアイコンに共通した形状を示すコードである。アイコン背景色コード６４は、該当のグループに属するアイコンに共通した背景色を示すコードである。また、グループゾーン背景色コード６２は、各メニュー画像において該当のグループに属するアイコンを表示するエリア（ゾーン）の背景色を示すコードである。グループデザインテーブル３３には、該当のグループに属するアイコンに共通したデザインを示すコードとして、上記のアイコン背景色コード６４以外のコードが格納されていてもよい。
【００２８】
次に、図５を参照して、本ＩＰＴＶ受像機７におけるメニュー画像の表示方法について説明する。本ＩＰＴＶ受像機７では、上記のメニューテーブル３１、アイコンテーブル３２、及びグループデザインテーブル３３に格納された各種の設定データを用いてメニュー画像７０を作成して、液晶パネル１４ａに表示する。具体的には、ＣＰＵ１１は、ユーザがリモコン２０のネットボタン２１を押下して、先頭の（ネットワーク用の）メニューであるルートメニューを表示するように指示したときや、ユーザがリモコン２０を用いて他のメニューを表示するように指示したときに、メニューテーブル３１に格納された各メニュー画像のレイアウトや色についての設定データに基づいて、ユーザが表示するように指示したメニュー画像７０の全体のレイアウトや色についての設定を行う。
【００２９】
そして、ＣＰＵ１１は、アイコンテーブル３２に格納されたメニューＮｏ．５２とサービスグループコード５３とに基づいて、メニュー画像７０の各ゾーン（図中のＶＯＤゾーン、ｅコマースゾーン、ニュースゾーンに相当）に表示するアイコン７２，８２，９２を決定し、決定した内容に基づき各ゾーンにアイコン７２，８２，９２を表示する。そのとき、ＣＰＵ１１は、グループデザインテーブル３３内のグループゾーン背景色コード６２に基づいて、メニュー画像７０の各ゾーンの背景色（図中のグループゾーン背景７１，８１，９１の色）を表示する。また、ＣＰＵ１１は、アイコンテーブル３２に格納されたグループ内並び順５４に基づいて、メニュー画像７０の各ゾーンにおける各アイコン７２，８２，９２を並べる。さらにまた、ＣＰＵ１１は、グループデザインテーブル３３のアイコン背景色コード６４に基づき、各アイコン７２，８２，９２におけるアイコン背景７４，８４，９４の部分の色を表示し、アイコンテーブル３２のロゴ画像データ５５に基づき、各アイコン７２，８２，９２におけるロゴ画像７５、８５，９５の部分の（ロゴ）画像を表示する。また、ＣＰＵ１１は、各アイコン７２，８２，９２を、グループデザインテーブル３３のアイコン形状コード６３に基づく（グループ毎に共通した）形状で表示するが、図５に示される例では、各グループに対応するアイコン形状コード６３が全て同じコードであるため、各アイコン７２，８２，９２の形状は、全て同じ（矩形形状）である。
【００３０】
図５に示されるメニュー画像７０の例では、メニュー画像７０における各グループに対応する（グループデザインテーブル３３の）アイコン背景色コード６４を異なる色のコードにすることにより、メニュー画像７０に含まれる各種のアイコン７２，８２，９２の背景色を、グループ毎（ネットワークサービスのサービス種別毎）に分けて表示するようにした。また、メニュー画像７０における各グループに対応する（グループデザインテーブル３３）のグループゾーン背景色コード６２を異なる色のコードにすることにより、メニュー画像７０のグループゾーン背景７１，８１，９１の色を、グループ毎（ネットワークサービスのサービス種別毎）に分けて表示するようにした。
【００３１】
一方、図６に示されるメニュー画像７０の例では、メニュー画像７０における各グループに対応する（グループデザインテーブル３３の）アイコン形状コード６３を異なる形状のコードにすることにより、メニュー画像７０に含まれる各種のアイコン７２，８２，９２の形状を、グループ毎（ネットワークサービスのサービス種別毎）に分けて表示するようにした。ただし、このメニュー画像７０の例では、各グループに対応するアイコン背景色コード６４が全て同じコードであるため、各アイコン７２，８２，９２の背景色は、全て同じであり、各グループに対応するグループゾーン背景色コード６２が全て同じコードであるため、グループゾーン背景７１，８１，９１の色は、全て同じである。
【００３２】
上記のように、本実施形態のＩＰＴＶ受像機７によれば、各種のアイコン７２，８２，９２に対応したネットワークサービスのサービス種別を表す各種のグループコード（アイコンテーブル３２のサービスグループコード５３、及びグループデザインテーブル３３のサービスグループコード６１）と、これらのグループコードに対応したアイコン形状コード６３及びアイコン背景色コード６４を記憶しておいて、上記グループコードと、上記アイコン形状コード６３及びアイコン背景色コード６４のうち少なくともいずれかに基づいて、メニュー画像７０に含まれる各種のアイコン７２，８２，９２の形状及び背景色のうち少なくともいずれかを、グループ毎（ネットワークサービスのサービス種別毎）に、分けて表示するようにした。これにより、同一のメニュー画像７０内に、異なる種類のネットワークサービスに対応したアイコン７２，８２，９２が含まれている場合でも、ユーザが、各アイコン７２，８２，９２の形状及び背景色のうち少なくともいずれかに基づいて、各アイコン７２，８２，９２に対応したネットワークサービスのサービス種別を、視覚的に容易に判別することができるので、使い勝手がよい。
【００３３】
また、本実施形態のＩＰＴＶ受像機７によれば、グループゾーン背景色コード６２に基づいて、メニュー画像７０における各グループゾーンの背景色を、グループ毎（ネットワークサービスのサービス種別毎）に分けて表示するようにした。これにより、同一のメニュー画像７０内に、異なる種類のネットワークサービスに対応したアイコン７２，８２，９２が含まれている場合でも、ユーザが、各アイコン７２，８２，９２の形状及び背景色のうち少なくともいずれかに加えて、各グループゾーンの背景色に基づき、各アイコン７２，８２，９２に対応したネットワークサービスのサービス種別を判別することができるので、ユーザが、各アイコン７２，８２，９２に対応したネットワークサービスのサービス種別を、より一層視覚的に容易に判別することができる。従って、より一層使い勝手がよくなる。
【００３４】
なお、本発明は、上記実施形態の構成に限られず、発明の趣旨を変更しない範囲で種々の変形が可能である。例えば、上記実施形態では、本発明をＩＰＴＶ受像機に適用した場合の例を示したが、本発明を、インターネットとは異なるネットワークを介してサービス提供サーバと接続されるネットワークテレビジョン受像機に適用してもよい。また、上記図５に示されるメニュー画像の例では、請求項におけるデザインコードがアイコンの背景色コードであり、メニュー画像に含まれる各種のアイコンの背景色を、ネットワークサービスのサービス種別毎に、分けて表示する場合の例を示したが、アイコンにおける背景色以外のデザイン要素を、ネットワークサービスのサービス種別毎に、分けて表示してもよい。また、上記図５及び図６に示されるメニュー画像の例では、メニュー画像に含まれる各種のアイコンの形状又は背景色を、ネットワークサービスのサービス種別毎に、分けて表示する場合の例を示したが、メニュー画像に含まれる各種のアイコンの形状及び背景色の両方を、ネットワークサービスのサービス種別毎に、分けて表示してもよい。
【符号の説明】
【００３５】
３、３ａ、３ｂ、３ｃ    サービス提供サーバ
４    インターネット（ネットワーク）
７    ＩＰＴＶ受像機（ネットワークテレビジョン受像機）
１１  ＣＰＵ（アイコン表示制御手段）
１２  ネットワークカード（送受信手段）
１３  メモリ（コード記憶手段）
１４ａ液晶パネル（表示手段）
５３、６１  サービスグループコード（グループコード）
６３  アイコン形状コード（形状コード）
６４  アイコン背景色コード（デザインコード）
７０  メニュー画像
７２、８２、９２  アイコン
【図１】
2012049728.tif 000003
【図２】
2012049728.tif 000004
【図３】
2012049728.tif 000005
【図４】
2012049728.tif 000006
【図５】
2012049728.tif 000007
【図６】
2012049728.tif 000008
【図７】
2012049728.tif 000009